(57)【要約】【課題】比較的サイズの小さな物品を容易に収納することができ、空間を有効利用して棚全体の収容率を向上させることのできる組立棚を提供する。【解決手段】複数の棚板（棚板部材Ｔ）と、その棚板を支える支持体とを備え、対向する前記棚板の間に該棚板の幅方向に移動可能な１または２以上のスライド棚（Ｓ１ａ，Ｓ１ｂ）を有するようにした。【選択図】  図１
0003103810.tif 000002
【実用新案登録請求の範囲】
【請求項１】
複数の棚板と、その棚板を支える支持体とを備え、対向する前記棚板の間に該棚板の幅方向に移動可能な１または２以上のスライド棚を有していることを特徴とする組立棚。
【請求項２】
前記支持体は、外周面に適当な間隔をおいて複数の係合溝が形成されたパイプ状の支柱で構成され、
前記棚板は、内面に前記支柱の係合溝に係合可能な凸状部が形成され且つ外形が略円錐状に形成された支持用スリーブに嵌合可能な筒状のソケット部を備えていることを特徴とする請求項１に記載の組立棚。
【請求項３】
前記棚板は、複数の金属線材を網状に組んで接点を溶接して構成され、
前記スライド棚の底面には、前記棚板の幅方向に延設される前記金属線材をレールとして転動可能なローラ部材が配設されていることを特徴とする請求項２に記載の組立棚。
【請求項４】
前記棚は、複数の箱状の棚モジュールの組合せで構成され、
該棚モジュールの少なくとも一つは、棚モジュールの幅方向に移動可能な１または２以上のスライド棚を備えていることを特徴とする請求項１に記載の組立棚。
【請求項５】
前記各棚モジュール同士を係合させる係合手段が設けられていることを特徴とする請求項４に記載の組立棚。
【請求項６】
前記スライド棚には、物品の出入用の開口部が移動方向と直交して形成されていることを特徴とする請求項１から請求項５の何れかに記載の組立棚。
【請求項７】
前記スライド棚は、木材または樹脂等で構成されるパネルを組み合わせた箱状に形成されていることを特徴とする請求項１から請求項６の何れかに記載の組立棚。
【請求項８】
左右端側に配置される前記スライド棚は、背面側が閉塞された状態とされていることを特徴とする請求項１から請求項７の何れかに記載の組立棚。
【請求項９】
前記棚板間の前面側に、左右に開閉可能なスライド扉が配設され、
該スライド棚の上端側には、前記棚板の幅方向に延設される前記金属線材をレールとして懸架され転動可能なローラ部材または摺動部材が配設されていることを特徴とする請求項１から請求項８の何れかに記載の組立棚。
【考案の詳細な説明】
【技術分野】
【０００１】
本考案は、複数段の棚板を備える組立棚に係り、特に収納効率を高めることのできる組立棚の構造に関する。
【背景技術】
【０００２】
図１４に、従来の一般的な棚Ｔ２の一例を示す。  
この棚Ｔ２は、例えば４段の構成となっており、最下段に扉Ｄ２が付いた収納部１００、下から２段目に汎用の収納部１０１、下から３段目に飾り棚１０２ａを備える収納部１０２、最上段に複数の仕切板１０３ａを備える収納部１０３を備えている。そして、棚Ｔ２が備えるこれらの収納部１００〜１０３の特性に応じて、各種物品を収納していた。
【０００３】
また、図１５に示すように、４隅に設けられるパイプ状の支柱１の適当な位置に略円錐形の外形を有する支持用スリーブ（図１５では現れない）を介して棚板Ｔの筒状のソケット部２，２…を嵌合させるようにして任意の枚数の棚板Ｔを取り付けるようにした組立式の棚がある。棚板Ｔとしては、例えばスチールワイヤ等の線材を方形の網状に組んで接点を溶接した所謂ワイヤシェルフなどが用いられる。支持用スリーブは、図１５に示すように分割可能であり、上細テーパー状の略円錐形をなし、内面には支柱１の外周の係合溝に係合可能な凸状部を有し、それらを係合させることで支柱１に係止され、ソケット部２は支持用スリーブのテーパーによって支持固定されるようになっている。この種の組立棚は、パイプ状の支柱１，支持用スリーブ，棚板Ｔ等の部材が組み立てセット等として提供され、使用者が手作業で組み立てるようになっている。  
【考案の開示】
【考案が解決しようとする課題】
【０００４】
ところで、図１４に示すような棚Ｔ２は、各収納部１００〜１０３は固定されているため、使用者が用途に応じて収納部の仕様や大きさ等を変更するといったことができないという難点があった。
【０００５】
また、各収納部１０１〜１１０には種々の高さの物品を収納する場合があるが、各収納部の高さに近い高さを有する物品のみを載置する場合には空間を比較的有効に利用できるものの、各収納部の高さよりも極端に低い物品を混在させて載置する場合には、その物品の上方の空間が無駄になり、棚全体の収容率が低下するという問題があった。
【０００６】
また、図１５に示すような組立棚は、例えば衣類、花瓶や壺、辞典等の大型書籍などの比較的サイズの大きな物品を載置するのには適していたが、例えば文庫本、各種筆記具や文房具類などの比較的サイズの小さな物品は、棚板を構成するワイヤシェルフの隙間から落下する虞があった。そのため、これらの比較的サイズの小さな物品を載置する際には、収納ボックスやトレー状の容器等を別途用意する必要があり、汎用性や利便性に欠けるという問題があった。
【０００７】
本考案は、上記問題点を解決すべく案出されたものであり、比較的サイズの小さな物品を容易に収納することができ、空間を有効利用して棚全体の収容率を向上させることのできる組立棚を提供することを目的とする。
【課題を解決するための手段】
【０００８】
上記目的を達成するために、この考案に係る組立棚は、複数の棚板（棚板部材Ｔ）と、その棚板を支える支持体とを備え、対向する前記棚板の間に該棚板の幅方向に移動可能な１または２以上のスライド棚（Ｓ１ａ，Ｓ１ｂ）を有するようにした。
【０００９】
また、前記支持体は、外周面に適当な間隔をおいて複数の係合溝が形成されたパイプ状の支柱で構成され、
前記棚板は、内面に前記支柱の係合溝に係合可能な凸状部が形成され且つ外形が略円錐状に形成された支持用スリーブに嵌合可能な筒状のソケット部を備えるようにできる。
【００１０】
また、前記棚板は、複数の金属線材を網状に組んで接点を溶接して構成され、
前記スライド棚の底面には、前記棚板の幅方向に延設される前記金属線材をレールとして転動可能なローラ部材が配設されるようにしてもよい。
【００１１】
また、前記棚は、複数の箱状の棚モジュールの組合せで構成され、該棚モジュールの少なくとも一つは、棚モジュールの幅方向に移動可能な１または２以上のスライド棚を備えるようにしてもよい。
また、前記各棚モジュール同士を係合させる係合手段が設けられるようにしてもよい。
【００１２】
また、前記スライド棚には、物品の出入用の開口部が移動方向と直交して形成されるようにしてもよい。
また、前記スライド棚は、木材または樹脂等で構成されるパネルを組み合わせた箱状に形成されるようにできる。
また、左右端側に配置される前記スライド棚は、背面側が閉塞された状態とされることが望ましい。
【００１３】
また、前記棚板間の前面側に、左右に開閉可能なスライド扉が配設され、該スライド棚の上端側には、前記棚板の幅方向に延設される前記金属線材をレールとして懸架され転動可能なローラ部材または摺動部材が配設されるようにしてもよい。
【考案の効果】
【００１４】
請求項１に記載の考案によれば、棚板間の空間を有効に利用して棚の収納性を高めることができ、比較的サイズの小さな物品を効率良く収納することができるという効果がある。
【００１５】
また、請求項２に記載の考案によれば、従来であれば棚板から落下する虞のあった比較的サイズの小さな物品を効率良く収納することができるという効果がある。
【００１６】
請求項３に記載の考案によれば、別途レールを設けることなく、いわゆるワイヤシェルフの棚板の部材の一部を利用してスライド棚を設置することができるという効果がある。
【００１７】
請求項４に記載の考案によれば、使用者の用途に応じて収納部の仕様や大きさ等を変更することができ、空間を有効利用して棚全体の収容率を向上させることができるという効果がある。
【００１８】
請求項５に記載の考案によれば、棚モジュールを組み合わせた際の安定性を高めることができるという効果がある。
【００１９】
請求項６に記載の考案によれば、物品の出入用の開口部を隣接する他のスライド棚の背面部で閉塞することができるので、収納した物品の落下や埃の付着等を防止することができるという効果がある。
【００２０】
請求項７に記載の考案によれば、ワイヤシェルフでは落下し易い小物類も効率よく収納することができるという効果がある。
【００２１】
請求項８に記載の考案によれば、全てのスライド棚を左端側あるいは右端側に寄せた際に、左右端のスライド棚の背面が蓋の役目を果たし、収納した物品の落下や埃の侵入等を防止することができるという効果がある。
【００２２】
請求項９に記載の考案によれば、左右に開閉可能なスライド扉により棚の前面側の少なくとも一部を塞ぐことができ、収納した物品の落下や埃の侵入等を防止することができるという効果がある。
【考案を実施するための最良の形態】
【００２３】
以下、本考案の実施形態について図面を用いて説明する。
図１は第１の実施形態に係る組立棚の組み上がり状態を示す斜視図、図２はその正面図、図３は棚板部材の平面図，正面図および側面図、図４はその斜視図である。
【００２４】
図３と図４に示すように、棚板部材Ｔは、スチールワイヤ等の線材を方形の網状に組み合わせて溶接し、４隅にそれぞれソケット部２を設けたワイヤシェルフとして構成されている。この棚板部材Ｔとしてのワイヤシェルフの形態は多種多様であり、図３と図４にはその一例が示されている。
【００２５】
具体的に説明すると、棚板部材Ｔは、図３の（ａ）において横方向に延設される４本のワイヤ部材Ｗ１と、図３の（ａ）において縦方向に側部として延設される２本のワイヤ部材Ｗ２と、４つの筒状のソケット部２とから構成されている。
【００２６】
ワイヤ部材Ｗ１は、それぞれ上下一対のフレームｆ１ａ〜ｄ，ｆ２を波形の補強ワイヤｈの頂部を介して溶接して形成され、ワイヤ部材Ｗ１の２本はフレームｆ１ａ〜ｄ，ｆ２の端部をソケット部２に溶接してある。ワイヤ部材Ｗ２も略同様の構成であり、それぞれ上下一対のフレームｆ３，ｆ４を波形の補強ワイヤｈの頂部を介して溶接して形成され、且つ、フレームｆ３，ｆ４の端部をソケット部２にそれぞれ溶接してある。また、ワイヤ部材Ｗ１の残りの２本は、ワイヤ部材Ｗ２の間に等間隔で溶接されて固定されている。また、ソケット部２の内面は、後述する支持用スリーブ３（３ａ，３ｂ）の外周面のテーパー部と嵌合可能な形状に成形されている。前記ワイヤ部材Ｗ１は、要求される耐荷重に応じて配設する本数を増減したり、線材の太さを変えたりすることができる。
【００２７】
なお、フレームｆ１ａ〜ｄのうち、端部側に配置されるフレームｆ１ａとｆ１ｄは、後述するスライド棚Ｓのローラ部材Ｒが転動するレールを兼ねている。
【００２８】
次に図５を参照して、組立棚１００に搭載されるスライド棚Ｓ１（Ｓ２，Ｓ３）の構成について説明する。
スライド棚Ｓ１は、木材または樹脂等で構成される複数のパネルＰを組み合わせて箱状に形成され、一方の面は物品の出し入れ用に開口されている。また、棚内部には複数段（図５では２段）の棚板１０を配設している。なお、棚板１０の数や間隔はスライド棚Ｓの用途に応じて適宜変更することができる。また、必要に応じて縦の間仕切りやブックエンドを設けるようにしてもよい。
【００２９】
スライド棚Ｓ１の底面には、レールとしてのフレームｆ１ａ，ｆ１ｄの上に載置されて転動し、スライド棚Ｓ自体を組立棚の幅方向に移動させるローラ部材Ｒが四隅に設けられている。
【００３０】
スライド棚Ｓの側方の上端部には、組立棚１００に設けられるガイドレールＧと摺動可能に係合される係合具２０が設けられている。この係合具２０とガイドレールＧとの摺動により、スライド棚Ｓ１（Ｓ２，Ｓ３）を移動させる時の安定性を高めることができる。
【００３１】
なお、図２に示すように、組立棚１００の各段の高さや用途に合わせて、高さや幅を変えたスライド棚Ｓ２，Ｓ３等を適宜用意するようにしてもよい。
【００３２】
次に図６を参照して、支持用スリーブの支柱への取り付け状態を説明する。
図６（ａ）に示すように、まず４本のパイプ状の支柱１のそれぞれに支持用スリーブ３を取り付ける。
【００３３】
支柱１は丸パイプで構成され、その外周上にリング状の溝１ａ，１ａ…が支柱１の長手方向に沿って等間隔（例えばピッチ２５ｍｍ程）で複数形成されている。なお、支柱１は所望の高さに合わせて複数本を長手方向に継ぐことができるようになっている。
【００３４】
支持用スリーブ３は、図６（ａ）に示すように、樹脂製の半円筒状のスリーブ半体３ａ，３ｂから構成されており、対向する端部には互いに嵌め合う係合部３０，３１が形成され支柱１を挟むようにして装着されることにより支持用スリーブ３を構成するようになっている。スリーブ半体３ａ，３ｂの内面には支柱１のリング状の溝１ａと係合する凸状部３２が形成されており、この凸状部３２を支柱１の所望の位置のリング状の溝１ａに係合させることにより、所望の高さで棚板部材Ｔを設置することができる。
【００３５】
スリーブ半体３ａ，３ｂを係合させて構成される支持用スリーブ３は、外周面に上細となるテーパーが形成されており、棚板部材Ｔのソケット部２の内周部にもこの支持用スリーブ３の外周面に合わせたテーパーが施されている。したがって、図６（ｂ）に示すように、支柱１に取り付けた支持用スリーブ３に棚板部材Ｔのソケット部２を嵌合させることにより、支持用スリーブ３の外周面と棚板部材Ｔのソケット部２の内周面とが密着され、上細のテーパーの作用により棚板部材Ｔの下方への移動が阻止されて固定されるようになっている。
【００３６】
そして、４本の支柱１にそれぞれ同じ高さ（通常は、棚を安定させるために支柱１の下端近くに位置させる）で支持用スリーブ３を取り付けたところで、１枚目の棚板部材Ｔの４つのソケット部２に各支柱１を下側から挿通した後、各支柱１の下端を床上に載置して仮組立を行う。
【００３７】
次いで、木槌等を用いて棚板部材Ｔの各ソケット部２の近傍の縁部を叩いてソケット部２が支柱１の支持用スリーブ３にしっかりと嵌合されるように打ち込む。続いて、各支柱１の所望の高さに支持用スリーブ３を取り付け、２枚目の棚板部材Ｔの４つのソケット部２に各支柱１を挿通し、１段目と同様にしてソケット部２を支柱１の支持用スリーブ３に打ち込む。これにより、２段目の棚板の取り付けが完了する。
【００３８】
さらに、同様の作業を繰り返すことにより所望段数（本実施形態では図２に示すように棚板部材Ｔを４枚用いた３段）の棚板を備えた組立棚１００が組み立てられる。
【００３９】
次いで、図５に示すスライド棚Ｓ１（Ｓ２，Ｓ３）を各棚板間に複数個ずつ配設する（図１および図２参照）。
この際に、各スライド棚Ｓ１（Ｓ２，Ｓ３）のローラ部材Ｒが、各棚板Ｔのレールを兼ねるフレームｆ１ａ，ｆ１ｄの上を転動可能に係合される。また、各棚板間の上方の幅方向に延設されるガイドレールＧに、各スライド棚Ｓの係合具２０が挿通されて摺動可能な状態とされる。
【００４０】
なお、棚板間の各段において、左右端側に配設されるスライド棚Ｓ１ａ，ｂ（Ｓ２ａ，ｂ、Ｓ３ａ，ｂ）に関しては、図１に示すように、背面側が閉塞された状態で設置される。
【００４１】
そして、各スライド棚Ｓ１（Ｓ２，Ｓ３）に物品を出し入れする際には、収納しようとするスライド棚Ｓ１（Ｓ２，Ｓ３）に隣接するスライド棚をスライドさせて離間させ（即ち、図１に示すような状態）、露出した側方の開口部から操作を行う。これにより、棚板Ｔ間の空間を有効に利用して組立棚１００全体の収納性を高めることができ、比較的サイズの小さな物品（例えば、文庫本や各種文房具など）を効率良くスライド棚Ｓ１（Ｓ２，Ｓ３）に収納することができる。
【００４２】
また、スライド棚Ｓ１（Ｓ２，Ｓ３）の全体を閉塞させたい場合には、左右端側のスライド棚Ｓ１ａ，ｂ（Ｓ２ａ，Ｓ２ｂ、Ｓ３ａ，Ｓ３ｂ）で中間の各スライド棚Ｓ１（Ｓ２，Ｓ３）を挟み込むようにする。これにより、各スライド棚Ｓ１（Ｓ２，Ｓ３）は互いの背面で開口部が閉塞され、収納した物品の落下や埃の侵入を防止することができる。
【００４３】
次に、図７〜図１２を参照して、第２の実施形態に係る組立棚について説明する。
ここで、図７は本実施形態に係る組立棚の組み上がり状態を示す正面図、図８はスライド棚を備える棚モジュールＭ１の構成例を示す斜視図、図９はスライド棚の構成例を示す斜視図、図１０〜図１２は他の棚モジュールの構成例を示す斜視図である。
【００４４】
図７に示すように、本実施形態に係る棚Ｔ１０は、それぞれ異なる機能や用途を有する棚モジュールＭ１〜Ｍ４を複数個積み重ねて係合させることにより構成されている。
【００４５】
棚モジュールＭ１は、図８に示すように、前面側に開口部を有する箱状のモジュール本体２００と、このモジュール本体２００内の底面に幅方向に延設されたレール部材２０１と、そのレール部材２０１上を幅方向に移動可能なスライド棚Ｓ（本実施形態では２個）とから構成されている。
【００４６】
モジュール本体２００の下面には、他のモジュールと係合可能な係合用凸部２０３が設けられ、上面には他のモジュールの係合用凸部と係合可能な係合用凹部２０２が設けられている。
【００４７】
スライド棚Ｓは、図９に示すように、木材または樹脂等で構成される複数のパネルＰを組み合わせて箱状に形成され、一方の面は物品の出し入れ用に開口されている。また、棚内部には複数段（図９では２段）の棚板１０を配設している。なお、棚板１０の数や間隔はスライド棚Ｓの用途に応じて適宜変更することができる。また、必要に応じて縦の間仕切りやブックエンドを設けるようにしてもよい。
【００４８】
スライド棚Ｓの底面には、モジュールＭ１のレールとしてのフレームｆ１ａ，ｆ１ｄの上に載置されて転動し、スライド棚Ｓ自体をモジュールＭ１の幅方向に移動させるローラ部材Ｒが四隅に設けられている。
【００４９】
次に、図１０〜図１２を参照してその他の棚モジュールの構成について説明する。
まず、図１０に示す棚モジュールＭ２は、汎用のモジュールであり、前面側に開口部を有する箱状のモジュール本体３００で構成されている。なお、モジュール本体３００の下面には、他のモジュールと係合可能な係合用凸部３０２が設けられ、上面には他のモジュールの係合用凸部と係合可能な係合用凹部３０１が設けられている。
【００５０】
図１１に示す棚モジュールＭ３は、本立て等に用いるモジュールであり、前面側に開口部を有する箱状のモジュール本体４００と、仕切板４０１とで構成されている。なお、モジュール本体４００の下面には、他のモジュールと係合可能な係合用凸部４０３が設けられ、上面には他のモジュールの係合用凸部と係合可能な係合用凹部４０２が設けられている。
【００５１】
図１２に示す棚モジュールＭ４は、前面側に開口部を有する箱状のモジュール本体５００と、観音開きのドア部材Ｄ１と、このドア部材Ｄ１を開閉自在に支持するヒンジ部材５０１とから構成されている。なお、モジュール本体５００の下面には、他のモジュールと係合可能な係合用凸部５０３が設けられ、上面には他のモジュールの係合用凸部と係合可能な係合用凹部５０２が設けられている。
【００５２】
そして、上記のように構成された棚モジュールＭ１〜Ｍ４から用途に合ったものを所望数だけ適宜選択して、順次積み重ねて棚を組み立てる。
【００５３】
即ち、図７のような棚Ｔ１０を構成しようとする場合には、最下段にドア部材Ｄ１を備える棚モジュールＭ４を２個並べて置き、その上に２段に亘ってスライド棚Ｓを備える棚モジュールＭ１を積み重ねる。この際に、各棚モジュールの係合用凸部２０３と係合用凹部５０２，２０２が係合するように載置する。
【００５４】
次いで、最上段に棚モジュールＭ３とＭ２を各１個ずつ載置する。この際に、各棚モジュールの係合用凸部３０２，４０３と係合用凹部２０２が係合するように載置する。
これにより、図７に示すような棚Ｔ１０が組み立てられる。
【００５５】
そして、棚モジュールＭ１において、各スライド棚Ｓに物品を出し入れする際には、収納しようとするスライド棚Ｓに隣接するスライド棚をスライドさせて離間させ、露出した側方の開口部から操作を行う。これにより、空間を有効に利用して棚Ｔ１全体の収納性を高めることができ、比較的サイズの小さな物品（例えば、文庫本や各種文房具など）を効率良くスライド棚Ｓに収納することができる。
【００５６】
また、スライド棚Ｓの全体を閉塞させたい場合には、左右端側のスライド棚Ｓで中間のスライド棚を挟み込むようにする。これにより、各スライド棚Ｓは互いの背面で開口部が閉塞され、収納した物品の落下や埃の侵入を防止することができる。
【００５７】
また、使用者の用途に応じて棚モジュールを選択できるので、収納部の仕様や大きさ等を変更することができ、空間を有効利用して棚全体の収容率を向上させることができる。
【００５８】
なお、図７に示す棚Ｔ１０は、棚モジュールＭ１〜Ｍ４を組み合わせた一例を示すものであり、上述のように用途に応じて所望の棚モジュールＭ１〜Ｍ４を組み合わせることができる。また、積み重ねる段数も任意に決定することができる。
【００５９】
以上本考案者によってなされた考案を実施形態に基づき具体的に説明したが、本考案は上記実施形態に限定されるものではなく、その要旨を逸脱しない範囲で変更可能である。
【００６０】
例えば、図１３に示すように、棚Ｔ１０の所定の段の前面側に、左右に開閉可能なスライド扉Ｄ２，Ｄ３を配設するようにしてもよい。
図１３に示す例において、このスライド扉Ｄ２は、下から２段目の棚に３枚配設されている。各スライド扉Ｄ２の上端部には、下から３段目の棚の前端部の下側の幅方向に敷設されたレール８００に懸架され転動可能なローラ部材Ｒ２がそれぞれ２個ずつ設けられている。
【００６１】
また、スライド扉Ｄ３は、扉の下端側に転動可能なローラ部材Ｒ３が２個設けられており、上端側にはレール８００に沿って摺動可能な摺動具６００が配設されている。
【００６２】
このスライド扉Ｄ２またはＤ３を任意にスライドさせることにより、下から２段目の棚の一部を塞いだり開放させることができ、収納した物品の落下や埃の侵入等を防止することができる。また、スライド扉Ｄ２のパネルを透明あるいは半透明にしたり、種々の色彩を施したりすることにより、棚全体の外観にアクセントをつけて美観を向上させることも期待できる。
【００６３】
なお、図１３上では明確に現れないが、下から３段目の棚に配設されるスライド棚Ｓとスライド扉Ｄ２，Ｄ３が干渉しないように、スライド棚Ｓ用のレール２０１（図８参照）の手前側にスライド扉Ｄ２，Ｄ３用のレール８００を別途配設することが望ましい。
【００６４】
また、スライド扉Ｄ２，Ｄ３を設ける棚の段の位置は任意であり、またスライド扉Ｄ２，Ｄ３の枚数も必要に応じて変更できることはいうまでもない。
また、図１から図６に示したスチールワイヤを用いた組立棚に、上述のようなスライド扉を設けるようにしてもよい。
【００６５】
また、上記第２の実施形態では、４種類の棚モジュールＭ１〜Ｍ４を用いる場合について述べたが、他の構成の棚モジュールを用意するようにしてもよい。
また、上記第２の実施形態では、各棚モジュールを係合用凸部と係合用凹部の係合で固定する場合について述べたが、これに限らず、例えば磁石によって吸着させて固定するようにしてもよい。また、棚モジュールＭ１〜Ｍ４を使用者が組み立てる場合について述べたが、これに限らず、工場において組み立てるようにしてもよい。
【００６６】
また、棚モジュールを用いることなく、複数段の棚板を備える通常の棚を構成し、その棚の所望の棚板の間にスライド棚Ｓを組み込んだ場合も含まれる。
【図面の簡単な説明】
【００６７】
【図１】第１の実施形態に係る組立棚の組み上がり状態を示す斜視図である。
【図２】第１の実施形態に係る組立棚の組み上がり状態を示す正面図である。
【図３】棚板部材の構成を示す平面図，正面図および側面図である。
【図４】棚板部材の構成を示す斜視図である。
【図５】第１の実施形態おけるスライド棚の構成を示す斜視図である。
【図６】第１の実施形態に係る組立棚における支柱への支持用スリーブの取り付け状態を示す説明図である。
【図７】第２の実施形態に係る組立棚の組み上がり状態を示す正面図である。
【図８】スライド棚を備える棚モジュールＭ１の構成例を示す斜視図である。
【図９】スライド棚の構成例を示す斜視図である。
【図１０】他の棚モジュールの構成例を示す斜視図である。
【図１１】他の棚モジュールの構成例を示す斜視図である。
【図１２】他の棚モジュールの構成例を示す斜視図である。
【図１３】スライド扉を設けた組立棚の組み上がり状態を示す正面図である。
【図１４】従来の棚の一例を示す正面図である。
【図１５】従来の組立棚の一例を示す斜視図である。
【符号の説明】
【００６８】
１    支柱
２    筒状のソケット部
１ａ  リング状の溝
３    支持用スリーブ
３ａ，３ｂ  スリーブ半体
３０，３１  係合部
３２  凸状部
Ｔ    棚板部材
Ｗ１，Ｗ２  ワイヤ部材
ｈ    波形の補強ワイヤ
ｆ１ａ〜ｄ，ｆ２  フレーム
Ｓ，Ｓ１（Ｓ２，Ｓ３）    スライド棚
Ｐ    パネル
１０  棚板
Ｒ    ローラ部材
２０  係合具
Ｇ    ガイドレール
Ｔ１０    棚
Ｍ１〜Ｍ４  棚モジュール
Ｄ２，Ｄ３  スライド扉
８００  レール
Ｒ２    ローラ部材
【図１】
0003103810.tif 000003
【図２】
0003103810.tif 000004
【図３】
0003103810.tif 000005
【図４】
0003103810.tif 000006
【図５】
0003103810.tif 000007
【図６】
0003103810.tif 000008
【図７】
0003103810.tif 000009
【図８】
0003103810.tif 000010
【図９】
0003103810.tif 000011
【図１０】
0003103810.tif 000012
【図１１】
0003103810.tif 000013
【図１２】
0003103810.tif 000014
【図１３】
0003103810.tif 000015
【図１４】
0003103810.tif 000016
【図１５】
0003103810.tif 000017